(57)【要約】【課題】電機子の軸方向一方側の径方向内側及び径方向外側に回転電機を構成する部材が配置されるスペースを確保する。【解決手段】ステータ１２は、継鉄部１８Ａと、ティース部１８Ｂと、を有するステータコア１８と、コイル２２と、を備えている。また、ステータ１２は、コイル２２を形成した巻線の端末部２４Ｕ、２４Ｖ、２４Ｗが接続される巻線接続部２６Ａ、２８Ａ、３０Ａを有する第１ターミナル２６、第２ターミナル２８及び第３ターミナル３０を備えている。さらに、ステータ１２は、継鉄部１８Ａの軸方向一方側への延長上に配置されていると共にステータコア１８に固定され、径方向外側から見て径方向に貫通された巻線接続部用窓部３８が形成され、第１ターミナル２６、第２ターミナル２８及び第３ターミナル３０を支持し、巻線接続部用窓部３８の内部に巻線接続部２６Ａ、２８Ａ、３０Ａが配置されたホルダ３２を備えている。【選択図】図１
2019135903.tif 000002
【特許請求の範囲】
【請求項１】
環状に形成された継鉄部と、該継鉄部から径方向に延びるティース部と、を有する電機子コアと、
導電性の巻線が前記ティース部の回りに巻回されることによって形成されたコイルと、
前記コイルを形成した巻線の端末部が接続される接続部を有する導電部材と、
前記継鉄部の軸方向一方側への延長上に配置されていると共に前記電機子コアに固定され、径方向外側から見て径方向に貫通された窓部が形成され、前記導電部材を支持し、前記窓部の内部に前記接続部が配置されたホルダと、
を備えた電機子。
【請求項２】
環状に形成された継鉄部と、該継鉄部から径方向に延びるティース部と、を有する電機子コアと、
導電性の巻線が前記ティース部の回りに巻回されることによって形成されたコイルと、
前記コイルを形成した巻線の端末部が接続される第１接続部と、電源装置が接続される第２接続部と、前記第１接続部と前記第２接続部とを連結する連結部と、を有し、前記第１接続部と前記連結部とが軸方向に重なっている導電部材と、
前記継鉄部の軸方向一方側への延長上に配置されていると共に前記電機子コアに固定され、前記導電部材を支持するホルダと、
を備えた電機子。
【請求項３】
前記コイルを形成する複数の巻線の端末部が、周方向の一部分に集中配置されている請求項１又は請求項２記載の電機子。
【請求項４】
前記ホルダの内径及び外径が、前記継鉄部の内径及び外径と対応する内径及び外径に設定されている請求項１〜請求項３のいずれか１項に記載の電機子。
【請求項５】
前記ホルダには、径方向外側から見て径方向に貫通された中性点用窓部が形成され、
前記中性点用窓部の内部に、前記コイルを形成する巻線どうしが互いに接続された中性点が配置されている請求項１〜請求項４のいずれか１項に記載の電機子。
【請求項６】
前記電機子コアと前記コイルとの間には、インシュレータが設けられており、
前記ホルダが前記インシュレータに固定されている請求項１〜請求項５のいずれか１項に記載の電機子。
【請求項７】
前記ホルダと前記インシュレータとの固定が、スナップフィット構造とされている請求項６記載の電機子。
【請求項８】
前記ホルダと前記インシュレータとの固定箇所は、周方向に沿って複数個所に設けられている請求項６又は請求項７記載の電機子。
【請求項９】
前記ホルダにおいて前記第２接続部を支持している部分における前記電機子コア側が該電機子コアに当接している請求項２又は請求項２を引用する請求項３〜請求項８のいずれか１項に記載の電機子。
【請求項１０】
請求項１〜請求項９のいずれか１項に記載の電機子と、
前記電機子が磁界を発生させることで回転する回転子と、
を備えた回転電機。
【発明の詳細な説明】
【技術分野】
【０００１】
本発明は、回転電機の電機子及び回転電機に関する。
【背景技術】
【０００２】
下記特許文献１には、バスバーユニットを備えたモータ（回転電機）が開示されている。このバスバーユニットは、ステータコアの軸方向一方側に配置され、同相のコイル間を電気的に接続している。また、下記特許文献２には、巻線が巻回される巻回部と巻回部の径方向外側で巻線の引出し線を周方向に案内する案内部とを備えるインシュレータがステータ片に装着されるモータが開示されている。
【先行技術文献】
【特許文献】
【０００３】
【特許文献１】特開２０１１−２０５８７５号公報
【特許文献２】特開２０１４−９０５３２号公報
【発明の概要】
【発明が解決しようとする課題】
【０００４】
ところで、ステータ（電機子）の軸方向一方側の径方向内側及び径方向外側にモータを構成する他の部材が配置される場合がある。このような場合、特許文献１に記載された構成では、バスバーユニットがステータコアにおける巻線巻回部の軸方向直上に位置するため、径方向内側に他の部材が配置できるスペースを確保することが難しい。また、特許文献２に記載された構成では、引出し線が径方向外側から引出される構成とされているため、径方向外側に他の部材が配置されるスペースを確保することが難しい。
【０００５】
本発明は上記事実を考慮し、電機子の軸方向一方側の径方向内側及び径方向外側に回転電機を構成する部材が配置されるスペースを確保することを課題とする。
【課題を解決するための手段】
【０００６】
請求項１記載の電機子は、環状に形成された継鉄部と、該継鉄部から径方向に延びるティース部と、を有する電機子コアと、導電性の巻線が前記ティース部の回りに巻回されることによって形成されたコイルと、前記コイルを形成した巻線の端末部が接続される接続部を有する導電部材と、前記継鉄部の軸方向一方側への延長上に配置されていると共に前記電機子コアに固定され、径方向外側から見て径方向に貫通された窓部が形成され、前記導電部材を支持し、前記窓部の内部に前記接続部が配置されたホルダと、を備えている。
【０００７】
請求項１記載の電機子によれば、導電部材が支持されたホルダが電機子コアに固定されていると共に、コイルを形成した巻線の端末部が導電部材の接続部に接続されている。これにより、導電部材を介してコイルへ給電することができる。ここで、請求項１記載の電機子によれば、導電部材が支持されたホルダが、電機子コアの継鉄部の軸方向一方側への延長上に配置されている。これにより、電機子の軸方向一方側の径方向内側及び径方向外側に回転電機を構成する部材が配置されるスペースを確保することができる。また、ホルダの窓部の内部に導電部材の接続部が配置されていることにより、当該導電部材の接続部と巻線の端末部との接続状態を目視で容易に確認することができる。
【０００８】
請求項２記載の電機子は、環状に形成された継鉄部と、該継鉄部から径方向に延びるティース部と、を有する電機子コアと、導電性の巻線が前記ティース部の回りに巻回されることによって形成されたコイルと、前記コイルを形成した巻線の端末部が接続される第１接続部と、電源装置が接続される第２接続部と、前記第１接続部と前記第２接続部とを連結する連結部と、を有し、前記第１接続部と前記連結部とが軸方向に重なっている導電部材と、前記継鉄部の軸方向一方側への延長上に配置されていると共に前記電機子コアに固定され、前記導電部材を支持するホルダと、を備えている。
【０００９】
請求項２記載の電機子によれば、導電部材が支持されたホルダが電機子コアに固定されていると共に、コイルを形成した巻線の端末部が導電部材の接続部に接続されている。これにより、導電部材を介してコイルへ給電することができる。ここで、請求項２記載の電機子によれば、導電部材が支持されたホルダが、電機子コアの継鉄部の軸方向一方側への延長上に配置されている。これにより、電機子の軸方向一方側の径方向内側及び径方向外側に回転電機を構成する部材が配置されるスペースを確保することができる。また、導電部材の第１接続部と連結部とが軸方向に重なっていることにより、第１接続部と巻線の端末部とを接続する際の荷重を連結部によって受けることができる。
【００１０】
請求項３記載の電機子は、請求項１又は請求項２記載の電機子において、前記コイルを形成する複数の巻線の端末部が、周方向の一部分に集中配置されている。
【００１１】
請求項３記載の電機子によれば、コイルを形成する複数の巻線の端末部が、周方向の一部分に集中配置されていることにより、複数の巻線の端末部と導電部材の接続部又は第１接続部との接続状態を視認し易くすることができる。
【００１２】
請求項４記載の電機子は、請求項１〜請求項３のいずれか１項に記載の電機子において、前記ホルダの内径及び外径が、前記継鉄部の内径及び外径と対応する内径及び外径に設定されている。
【００１３】
請求項４記載の電機子によれば、ホルダの内径及び外径が、継鉄部の内径及び外径と対応する内径及び外径に設定されていることにより、電機子の軸方向一方側の径方向内側及び径方向外側に回転電機を構成する部材が配置されるスペースを確保することができる。
【００１４】
請求項５記載の電機子は、請求項１〜請求項４のいずれか１項に記載の電機子において、前記ホルダには、径方向外側から見て径方向に貫通された中性点用窓部が形成され、前記中性点用窓部の内部に、前記コイルを形成する巻線どうしが互いに接続された中性点が配置されている。
【００１５】
請求項５記載の電機子によれば、ホルダの中性点用窓部の内部に中性点が配置されていることにより、コイルを形成する巻線どうしの接続状態を目視で容易に確認することができる。
【００１６】
請求項６記載の電機子は、請求項１〜請求項５のいずれか１項に記載の電機子において、前記電機子コアと前記コイルとの間には、インシュレータが設けられており、前記ホルダが前記インシュレータに固定されている。
【００１７】
請求項６記載の電機子によれば、導電部材を支持するホルダをインシュレータを介して電機子コアに固定することができる。
【００１８】
請求項７記載の電機子は、請求項６記載の電機子において、前記ホルダと前記インシュレータとの固定が、スナップフィット構造とされている。
【００１９】
請求項７記載の電機子によれば、ホルダをインシュレータにスナップフィット構造により容易に固定することができる。
【００２０】
請求項８記載の電機子は、請求項６又は請求項７記載の電機子において、前記ホルダと前記インシュレータとの固定箇所は、周方向に沿って複数個所に設けられている。
【００２１】
請求項８記載の電機子によれば、ホルダがインシュレータに周方向の複数個所で固定されていることにより、ホルダと電機子コアとの同芯度を容易に確保することができる。
【００２２】
請求項９記載の電機子は、請求項２又は請求項２を引用する請求項３〜請求項８のいずれか１項に記載の電機子において、前記ホルダにおいて前記第２接続部を支持している部分における前記電機子コア側が該電機子コアに当接している。
【００２３】
請求項９記載の電機子によれば、ホルダにおいて導電部材の第２接続部を支持している部分における電機子コア側が当該電機子コアに当接している。これにより、導電部材の第２接続部に電源装置を接続する際の荷重を電機子コアによって受けることができる。
【００２４】
請求項１０記載の回転電機は、請求項１〜請求項９のいずれか１項に記載の電機子と、前記電機子が磁界を発生させることで回転する回転子と、を備えている。
【００２５】
請求項１０記載の回転電機によれば、請求項１〜請求項９のいずれか１項に記載の電機子を備えていることにより、電機子の軸方向一方側の径方向内側及び径方向外側に回転電機を構成する部材が配置されるスペースを確保することができる。
【発明の効果】
【００２６】
本発明に係る電機子及び回転電機は、電機子の軸方向一方側の径方向内側及び径方向外側に回転電機を構成する部材が配置されるスペースを確保することができる、という優れた効果を有する。
【図面の簡単な説明】
【００２７】
【図１】本実施形態のモータを示す斜視図である。
【図２】本実施形態のステータを示す斜視図である。
【図３】本実施形態のステータを図２とは異なる方向から見た斜視図である。
【図４】他の形態のステータを示す斜視図である。
【図５】他の形態のステータを図４とは異なる方向から見た斜視図である。
【図６】他の形態のステータを示す斜視図である。
【図７】他の形態のステータを示す斜視図である。
【図８】他の形態のステータを図７とは異なる方向から見た斜視図である。
【発明を実施するための形態】
【００２８】
図１〜図３を用いて本発明の実施形態に係る回転電機及び電機子について説明する。なお、図中に適宜示す矢印Ｚ方向、矢印Ｒ方向及び矢印Ｃ方向は、回転電機の回転軸方向、回転径方向及び回転周方向をそれぞれ示すものとする。また以下、単に軸方向、径方向、周方向を示す場合は、特に断りのない限り、回転電機の回転軸方向、回転径方向、回転周方向を示すものとする。
【００２９】
図１に示されるように、本実施形態の回転電機としてのモータ１０は、回転磁界を発生させる電機子としてのステータ１２と、ステータ１２の回転磁界を受けて回転する回転子としてのロータ１４と、ロータ１４の回転を減速するギヤボックス１６と、を備えている。
【００３０】
図１、図２及び図３に示されるように、ステータ１２は、電機子コアとしてのステータコア１８と、ステータコア１８に取付けられたインシュレータ２０と、ステータコア１８のまわりに形成されたコイル２２と、を備えている。また、ステータ１２は、コイル２２を形成する巻線の端末部（後述する他方側の端末部２４Ｕ、２４Ｖ、２４Ｗ）がそれぞれ接続される導電部材としての第１ターミナル２６、第２ターミナル２８及び第３ターミナル３０と、これらの第１ターミナル２６、第２ターミナル２８及び第３ターミナル３０を支持するホルダ３２と、を備えている。なお、図２及び図３においては、第１ターミナル２６、第２ターミナル２８及び第３ターミナル３０においてホルダ３２の内部に配置されている部分も実線で示している。
【００３１】
ステータコア１８は、鋼材等の磁性材料を用いて形成されている。このステータコア１８は、軸方向から見て環状に形成された継鉄部１８Ａと、継鉄部１８Ａから径方向内側へ向けて突出すると共に周方向に沿って等間隔に配置された複数の（本実施形態では１２個の）ティース部１８Ｂと、を備えている。
【００３２】
インシュレータ２０は、樹脂材料等の絶縁性の高い材料を用いて形成されている。このインシュレータ２０は、ステータコア１８の各々のティース部１８Ｂにおいて後述するコイル２２が形成される部分を覆う複数のティース部被覆部２０Ａと、複数のティース部被覆部２０Ａを周方向につなぐと共にステータコア１８の継鉄部１８Ａの軸方向一方側（矢印Ｚ方向側）の面に沿って配置される環状連結部２０Ｂと、を備えている。また、インシュレータ２０は、環状連結部２０Ｂから軸方向一方側へ向けて突出すると共に周方向に間隔をあけて配置された複数の（本実施形態では３つの）係止爪部２０Ｃを備えている。さらに、インシュレータ２０の環状連結部２０Ｂには、後述するコイル２２を形成する巻線の一部が接続される中性点としての中性点ターミナル３４が固定されている。
【００３３】
コイル２２は、導電性の巻線がインシュレータ２０のティース部被覆部２０Ａを介してステータコア１８のティース部１８Ｂの回りに巻回されることによって形成されている。本実施形態では、ステータコア１８の各々のティース部１８Ｂの回りに巻線が巻回されることで、１２個のコイル２２が形成されている。ここで、本実施形態では、Ｕ相、Ｖ相及びＷ相のコイル２２を形成する３本の巻線を用いて１２個のコイル２２が形成されている。
【００３４】
Ｕ相のコイル２２を形成する巻線の一方側の端末部３６Ｕ、Ｖ相のコイル２２を形成する巻線の一方側の端末部３６Ｖ、及びＷ相のコイル２２を形成する巻線の一方側の端末部３６Ｗは、周方向に隣り合う３つのコイル２２から軸方向一方側へ導出されている。そして、これらの一方側の端末部３６Ｕ、３６Ｖ、３６Ｗは、中性点ターミナル３４に接続されている。
【００３５】
また、Ｕ相のコイル２２を形成する巻線の他方側の端末部２４Ｕ、Ｖ相のコイル２２を形成する巻線の他方側の端末部２４Ｖ、及びＷ相のコイル２２を形成する巻線の他方側の端末部２４Ｗは、周方向に隣り合う３つのコイル２２から軸方向一方側へ導出されている。そして、これらの他方側の端末部２４Ｕ、２４Ｖ、２４Ｗは、後述する第１ターミナル２６、第２ターミナル２８及び第３ターミナル３０にそれぞれ接続されている。
【００３６】
第１ターミナル２６は、所定に形状に裁断された銅板に曲げ加工が施されること等により形成されている。この第１ターミナル２６は、Ｕ相のコイル２２を形成する巻線の他方側の端末部２４Ｕが接続される接続部及び第１接続部としての巻線接続部２６Ａと、巻線接続部２６Ａにおける軸方向一方側の端部から周方向他方側（矢印Ｃとは反対側）に向けて延びる連結部２６Ｂと、連結部２６Ｂにおける周方向他方側の端部から軸方向一方側へ向けて延びる第２接続部としての給電部２６Ｃと、を備えている。巻線接続部２６Ａの一部は、Ｕ字状に湾曲されることで矢印Ｚ方向を軸方向とする略筒状に形成された係止部２６Ｄとされている。この係止部２６ＤにＵ相のコイル２２を形成する巻線の他方側の端末部２４Ｕが挿入されることで、当該他方側の端末部２４Ｕが係止部２６Ｄに係止されている。
【００３７】
第２ターミナル２８及び第３ターミナル３０の構成は、第１ターミナル２６の構成とほぼ同様に構成である。第２ターミナル２８は、第１ターミナル２６の巻線接続部２６Ａ、連結部２６Ｂ、給電部２６Ｃ及び係止部２６Ｄとそれぞれ対応する巻線接続部２８Ａ、連結部２８Ｂ、給電部２８Ｃ及び係止部２８Ｄを備えている。また、第３ターミナル３０は、第１ターミナル２６の巻線接続部２６Ａ、連結部２６Ｂ、給電部２６Ｃ及び係止部２６Ｄとそれぞれ対応する巻線接続部３０Ａ、連結部３０Ｂ、給電部３０Ｃ及び係止部３０Ｄを備えている。ここで、本実施形態では、第１ターミナル２６、第２ターミナル２８及び第３ターミナル３０の給電部２６Ｃ、２８Ｃ、３０Ｃにおける軸方向一方側の端部から係止部２６Ｄ、２８Ｄ、３０Ｄまでの長さが、ほぼ同じ長さに設定されている。
【００３８】
そして、第１ターミナル２６、第２ターミナル２８及び第３ターミナル３０が、後述するホルダ３２に支持された状態では、第１ターミナル２６の巻線接続部２６Ａ、第２ターミナル２８の巻線接続部２８Ａ及び第３ターミナル３０の巻線接続部３０Ａが周方向に沿ってこの順で並んで配置されている。また、第１ターミナル２６の給電部２６Ｃ、第２ターミナル２８の給電部２８Ｃ及び第３ターミナル３０の給電部３０Ｃも周方向に沿ってこの順で並んで配置されている。さらに、第１ターミナル２６の連結部２６Ｂ、第２ターミナル２８の連結部２８Ｂ及び第３ターミナル３０の連結部３０Ｂは、軸方向一方側へこの順で互いにオフセットして配置されていると共にその一部が軸方向に重なっている。
【００３９】
ホルダ３２は、インシュレータ２０と同様に樹脂材料等の絶縁性の高い材料を用いて形成されている。このホルダ３２は、ステータコア１８の継鉄部１８Ａの軸方向一方側への延長上に配置されていると共に軸方向から見て環状に形成されている。また、ホルダ３２の内径及び外径は、ステータコア１８の継鉄部１８Ａの内径及び外径と対応するほぼ同じ内径及び外径に設定されている。
【００４０】
ホルダ３２は、ステータコア１８の継鉄部１８Ａの軸方向一方側の面に当接した状態で配置される基部３２Ａを備えている。この基部３２Ａには、インシュレータ２０の３つの係止爪部２０Ｃがそれぞれ係止される３つの係止孔３２Ｂが形成されている。そして、インシュレータ２０の３つの係止爪部２０Ｃが３つの係止孔３２Ｂに係止されることで、ホルダ３２がインシュレータ２０を介してステータコア１８に固定されている。ここで、本実施形態では、インシュレータ２０の３つの係止爪部２０Ｃが３つの係止孔３２Ｂに挿通されることで当該インシュレータ２０の３つの係止爪部２０Ｃの３つの係止孔３２Ｂへの係止が完了するスナップフィット構造となっている。
【００４１】
また、ホルダ３２は、基部３２Ａの一部分から軸方向一方側へ向けて突出すると共に第１ターミナル２６の給電部２６Ｃ、第２ターミナル２８の給電部２８Ｃ及び第３ターミナル３０の給電部３０Ｃが内部に配置される給電部保持部３２Ｃを備えている。この給電部保持部３２Ｃに図示しない外部コネクタが接続されることで、第１ターミナル２６、第２ターミナル２８及び第３ターミナル３０を介して各々のコイル２２に給電することが可能となっている。
【００４２】
また、ホルダ３２は、給電部保持部３２Ｃの軸方向の中間部から周方向一方側（矢印Ｃ方向側）へ向けて突出すると共に第１ターミナル２６の連結部２６Ｂ、第２ターミナル２８の連結部２８Ｂ及び第３ターミナル３０の連結部３０Ｂが内部に配置される連結部保持部３２Ｄを備えている。この連結部保持部３２Ｄからは、第１ターミナル２６の巻線接続部２６Ａ、第２ターミナル２８の巻線接続部２８Ａ及び第３ターミナル３０の巻線接続部３０Ａが軸方向他方側へ向けて突出している。
【００４３】
また、ホルダ３２は、連結部保持部３２Ｄの周方向一方側の端部と基部３２Ａとを軸方向に繋ぐ接続脚部３２Ｅを備えている。そして、基部３２Ａ、給電部保持部３２Ｃ、連結部保持部３２Ｄ及び接続脚部３２Ｅによって、径方向に貫通された窓部としての巻線接続部用窓部３８がホルダ３２に形成されている。この巻線接続部用窓部３８の内部には、第１ターミナル２６の巻線接続部２６Ａ、第２ターミナル２８の巻線接続部２８Ａ及び第３ターミナル３０の巻線接続部３０Ａが配置されている。
【００４４】
また、ホルダ３２は、基部３２Ａにおいて周方向に離間している部分を周方向に繋ぐと共に径方向から見て軸方向他方側が開放されたＵ字状に形成された中性点ターミナル逃げ部３２Ｆを備えている。この中性点ターミナル逃げ部３２Ｆとステータコア１８の継鉄部１８Ａとの間には、その内部に中性点ターミナル３４が配置される中性点用窓部４０が形成されている。
【００４５】
図１に示されるように、ロータ１４は、ステータ１２のステータコア１８の径方向内側に配置されている。このロータ１４は、ステータコア１８の径方向内側において回転可能に支持された回転軸と、回転軸に固定されたロータコアと、ロータコアの外周面に固定されたロータマグネットと、を含んで構成されている。
【００４６】
ギヤボックス１６は、その一部がホルダ３２の径方向内側に配置されている。このギヤボックスを有することにより、ロータ１４の回転軸の回転がギヤボックス１６を介して減速されるようになっている。
【００４７】
なお、ステータ１２及びギヤボックス１６は、図示しない有底筒状のモータケースに覆われている。
【００４８】
（本実施形態の作用並びに効果）
次に、本実施形態の作用並びに効果について説明する。
【００４９】
図１〜図３に示されるように、本実施形態のモータ１０では、ホルダ３２の給電部保持部３２Ｃに接続された図示しない外部コネクタ、第１ターミナル２６、第２ターミナル２８及び第３ターミナル３０を介して各々のコイル２２に給電がなされることで、ステータ１２のまわりに回転磁界が生じ、この回転磁界を受けてロータ１４が回転する。そして、ロータ１４の回転がギヤボックス１６を介して減速される。
【００５０】
ここで、本実施形態では、第１ターミナル２６、第２ターミナル２８及び第３ターミナル３０が支持されたホルダ３２が、ステータコア１８の継鉄部１８Ａの軸方向一方側への延長上に配置されている。これにより、ステータ１２の軸方向一方側の径方向内側及び径方向外側にモータ１０を構成する部材が配置されるスペースを確保することができる。特に、本実施形態では、ホルダ３２の内径及び外径が、ステータコア１８の継鉄部１８Ａの内径及び外径と対応するほぼ同じ内径及び外径に設定されていることにより、ギヤボックス１６や図示しないモータケースの一部が配置されるスペースを確保することが可能となっている。
【００５１】
また、本実施形態では、ホルダ３２の巻線接続部用窓部３８の内部に第１ターミナル２６、第２ターミナル２８及び第３ターミナル３０の巻線接続部２６Ａ、２８Ａ、３０Ａが配置されていることにより、当該巻線接続部２６Ａ、２８Ａ、３０Ａと巻線の他方側の端末部２４Ｕ、２４Ｖ、２４Ｗとの接続状態を目視で容易に確認することができる。また、本実施形態では、巻線の他方側の端末部２４Ｕ、２４Ｖ、２４Ｗが周方向に隣り合う３つのコイル２２から軸方向一方側へ導出されている。換言すると、巻線の他方側の端末部２４Ｕ、２４Ｖ、２４Ｗが周方向の一部分に集中配置されている。これによっても、第１ターミナル２６、第２ターミナル２８及び第３ターミナル３０の巻線接続部２６Ａ、２８Ａ、３０Ａと巻線の他方側の端末部２４Ｕ、２４Ｖ、２４Ｗとの接続状態を目視で容易に確認することができる。
【００５２】
さらに、本実施形態では、第１ターミナル２６、第２ターミナル２８及び第３ターミナル３０の巻線接続部２６Ａ、２８Ａ、３０Ａとホルダ３２の連結部保持部３２Ｄに保持された連結部２６Ｂ、２８Ｂ、３０Ｂの一部とが軸方向に重なっていることにより、巻線接続部２６Ａ、２８Ａ、３０Ａと巻線の他方側の端末部２４Ｕ、２４Ｖ、２４Ｗとを接続する際の荷重を連結部２６Ｂ、２８Ｂ、３０Ｂの一部及びホルダ３２の連結部保持部３２Ｄによって受けることができる。
【００５３】
また、本実施形態では、中性点ターミナル３４が配置される中性点用窓部４０が、ホルダ３２の中性点ターミナル逃げ部３２Ｆとステータコア１８の継鉄部１８Ａとの間に形成されていると共に、この中性点用窓部４０の内部に中性点ターミナル３４が配置されている。これにより、巻線の一方側の端末部３６Ｕ、３６Ｖ、３６Ｗと中性点ターミナル３４との接続状態を目視で容易に確認することができる。
【００５４】
さらに、本実施形態では、ホルダ３２をインシュレータ２０を介してステータコア１８に固定することが可能となっている。特に、本実施形態では、インシュレータ２０の３つの係止爪部２０Ｃが３つの係止孔３２Ｂに挿通されることで当該インシュレータ２０の３つの係止爪部２０Ｃの３つの係止孔３２Ｂへの係止が完了するスナップフィット構造となっていることにより、ホルダ３２をインシュレータ２０を介してステータコア１８に容易に固定することできる。また、本実施形態では、周方向に間隔をあけて配置された３つの係止爪部２０Ｃを３つの係止孔３２Ｂへ係止させる構成とすることで、ホルダ３２とステータコア１８との同芯度を容易に確保することができる。
【００５５】
また、本実施形態では、ホルダ３２において外部コネクタが接続される部分である給電部保持部３２Ｃの軸方向他方側（基部３２Ａの一部分）が、ステータコア１８の継鉄部１８Ａに当接している。これにより、電源装置とつながれた外部コネクタを給電部保持部３２Ｃに接続する際の荷重をステータコア１８によって受けることができる。
【００５６】
なお、図４及び図５に示された他の形態のホルダ４２のように、給電部保持部３２Ｃの軸方向他方側の周方向の一部分をステータコア１８の継鉄部１８Ａ（図２等参照）に当接させることで、外部コネクタを給電部保持部３２Ｃに接続する際の荷重をステータコア１８によって受けてもよい。なお、他の形態のホルダ４２において前述のホルダ３２と対応する部材及び部分には、当該ホルダ３２と対応する部材及び部分と同一の符号を付している。
【００５７】
また、図４及び図５に示された他の形態のホルダ４２のように、巻線接続部用窓部３８と中性点用窓部４０とがつながるように構成してもよい。この巻線接続部用窓部３８及び中性点用窓部４０は、給電部保持部３２Ｃの一部、連結部保持部３２Ｄ、中性点ターミナル逃げ部３２Ｆ、及びステータコア１８の継鉄部１８Ａによって形成されている。なお、ステータコア１８の継鉄部１８Ａを含んで巻線接続部用窓部３８や中性点用窓部４０が形成されている場合も、当該巻線接続部用窓部３８や中性点用窓部４０がホルダ４２に形成されているものとする。例えば、図６に示されるように、図１に示されたホルダ３２の変形例に係るホルダ４４では、ステータコア１８の継鉄部１８Ａ、給電部保持部３２Ｃ、連結部保持部３２Ｄ及び接続脚部３２Ｅによって、径方向に貫通された窓部としての巻線接続部用窓部３８が当該ホルダ４４に形成されている。なお、ホルダ４４において前述のホルダ３２と対応する部材及び部分には、当該ホルダ３２と対応する部材及び部分と同一の符号を付している。
【００５８】
また、巻線接続部用窓部３８や中性点用窓部４０の内部において、巻線の端末部とターミナルとを溶接で接続する構成においては、両者の溶接での接続状態を目視で容易に確認することができる。なお、図６においては、溶接（スポット溶接）を行う際の電極５０を二点鎖線で描いている。
【００５９】
また、図７及び図８に示された他の形態のホルダ４６のように、給電部保持部３２Ｃと連結部保持部３２Ｄとが、軸方向の同じ位置に設けられた（軸方向に重なるように設けられた）構成としてもよい。なお、ホルダ４６において前述のホルダ３２と対応する部材及び部分には、当該ホルダ３２と対応する部材及び部分と同一の符号を付している。
【００６０】
また、本実施形態では、インナロータ型のモータ１０に本発明を適用したが、本発明はアウタロータ型のモータにも適用することができる。
【００６１】
さらに、本実施形態では、ホルダ３２をインシュレータ２０を介してステータコア１８に固定した例について説明したが、本発明はこれに限定されない。例えば、ホルダ３２とインシュレータ２０とを一体に形成してもよい。当該構成では、インシュレータ２０のステータコア１８への取付完了と同時に、ホルダ３２のステータコア１８への固定を完了させることができる。
【００６２】
以上、本発明の一実施形態について説明したが、本発明は、上記に限定されるものでなく、その主旨を逸脱しない範囲内において上記以外にも種々変形して実施することが可能であることは勿論である。
【符号の説明】
【００６３】
１０   モータ（回転電機）
１２   ステータ（電機子）
１４   ロータ（回転子）
１８   ステータコア（電機子コア）
１８Ａ 継鉄部
１８Ｂ ティース部
２０   インシュレータ
２２   コイル
２４Ｕ 巻線の端末部
２４Ｖ 巻線の端末部
２４Ｗ 巻線の端末部
２６   第１ターミナル（導電部材）
２６Ａ 巻線接続部（接続部、第１接続部）
２６Ｃ 給電部（第２接続部）
２８   第２ターミナル（導電部材）
２８Ａ 巻線接続部（接続部、第１接続部）
２８Ｃ 給電部（第２接続部）
３０   第３ターミナル（導電部材）
３０Ａ 巻線接続部（接続部、第１接続部）
３０Ｃ 給電部（第２接続部）
３２   ホルダ
３４   中性点ターミナル（中性点）
３８   巻線接続部用窓部（窓部）
４０   中性点用窓部
４２   ホルダ
４４   ホルダ
４６   ホルダ
【図１】
2019135903.tif 000003
【図２】
2019135903.tif 000004
【図３】
2019135903.tif 000005
【図４】
2019135903.tif 000006
【図５】
2019135903.tif 000007
【図６】
2019135903.tif 000008
【図７】
2019135903.tif 000009
【図８】
2019135903.tif 000010